(57)【要約】【課題】  本発明によって凝縮器の放熱効率が向上された冷蔵庫を提供する。【解決手段】  本発明は、冷蔵庫本体１と、冷蔵庫本体１に形成されて機器部品を受容する機械室３０が備わった冷蔵庫に関する。機械室３０に受容されて、離隔して配置される複数の凝縮部３２ａ，３２ｂを含む凝縮器３２と；機械室３０に受容されて、凝縮器３２を冷却させる少なくとも一つのファン３３を含むことを特徴とする。【選択図】  図３
2006058004.tif 000002
【特許請求の範囲】
【請求項１】
冷蔵庫本体と、前記冷蔵庫本体に形成されて機器部品を受容する機械室が備わった冷蔵庫において、
前記機械室に受容されて、離隔して配置される複数の凝縮部を含む凝縮器と；
前記機械室に受容されて、前記凝縮器を冷却させる少なくとも一つのファンを含むことを特徴とする冷蔵庫。
【請求項２】
前記ファンは、前記複数の凝縮部の間に設けられることを特徴とする請求項１に記載の冷蔵庫。
【請求項３】
前記複数の凝縮部は、一対で設けられることを特徴とする請求項２に記載の冷蔵庫。
【請求項４】
前記ファンは、前記一対の凝縮部の間に介在され、前記一対の凝縮部の中で、ある一つから空気を吸入して、前記一対の凝縮部の中で、他の一つで空気を送風することを特徴とする請求項３に記載の冷蔵庫。
【請求項５】
前記複数の凝縮部は、一体に連結されることを特徴とする請求項１または４に記載の冷蔵庫。
【発明の詳細な説明】
【技術分野】
【０００１】
本発明は、冷蔵庫に関し、より詳細には凝縮器の放熱効率が向上された冷蔵庫に関する。 
【背景技術】
【０００２】
一般に冷蔵庫は、冷蔵室及び冷凍室を有する冷蔵庫本体と、各冷蔵室及び冷凍室の前方開口を回動開閉する冷蔵室ドア及び冷凍室ドアを含む。冷蔵庫本体の後方の下部領域には機械室が形成されている。
機械室内には冷媒を圧縮する圧縮機と、圧縮機から供給される冷媒を凝縮する凝縮器などの機器部品が設置されている。
機械室には圧縮機と凝縮器から発生する熱気を冷却させるための冷却手段が備えられている。このような冷却手段の一例として、後面カバーに形成されて凝縮器側方に隣接して配置される流入口と、後面カバーに形成されて圧縮機側方に隣接して配置される排出口と、圧縮機と凝縮器の間に形成されて機械室の内部空気を強制的に送風する冷却ファンが開示されている。（特許文献１参照）
【特許文献１】韓国登録実用新案第０２９３３６０号公報
【発明の開示】
【発明が解決しようとする課題】
【０００３】
しかし、このような冷却ファンは、一般的に図５ａに図示された通り、凝縮器１０３に向かって空気を送風する送風ファン１０２であり、機械室１００に設けられるか、図５ｂに図示された通り、凝縮器１１３からの空気を吸入する吸入ファン１１２として機械室１１０に設けられる。
空気を吸入して、凝縮器１０３を向けて送風する図５ａの送風ファン１０２の場合、凝縮器１０３のチューブ及びピンの抵抗により、凝縮器１０３の前面において空気の直進性が落ちる問題点が生じる。
また、凝縮器１１３からの空気を吸入する図５ｂの吸入ファン１１２の場合、凝縮器１１３の後面からの抵抗により、直進性が落ちる問題点が生じる。
【０００４】
本発明の目的は、このような問題点を解決するため、凝縮器の放熱効率が向上された冷蔵庫を提供することである。
【課題を解決するための手段】
【０００５】
前記目的を達成するために、冷蔵庫本体と、前記冷蔵庫本体に形成されて機器部品を受容する機械室が備わった冷蔵庫において、前記機械室に受容されて離隔して配置される複数の凝縮部を含む凝縮器と；前記機械室に受容されて前記凝縮器を冷却させる少なくとも一つのファンを含む。
そして、前記ファンは、前記複数の凝縮部間に設けられることが望ましい。
また、前記複数の凝縮部は一対で形成される。
一方、前記ファンは、前記一対の凝縮部の間に介在され、前記一対の凝縮部の中で、ある一つから空気を吸入して、前記一対の凝縮部の中で、他の一つから空気を送風することが望ましい。
そして、前記複数の凝縮部は一体に連結されることが望ましい。
【発明の効果】
【０００６】
本発明によると、凝縮器の放熱効率が向上された冷蔵庫が提供される。
【発明を実施するための最良の形態】
【０００７】
以下では添付図を参照して、本発明の一実施例に対して詳細に説明する。
本発明による冷蔵庫は、図１に示されたように、内部に冷蔵室１０及び冷凍室２０が左右に形成された冷蔵庫本体１と、冷蔵室１０及び冷凍室２０の各前方開口を回動開閉する冷蔵室ドア１１及び冷凍室ドア２１を含む。各ドアの内側には瓶などが受納できるドアガイド１２、２２が上下方向に沿って配置されている。
【０００８】
冷蔵庫本体１の左側に形成された冷凍室２０には、複数の冷凍室棚２３と複数の冷凍室受納引出し２４が上下に配置されていて、冷蔵庫本体１の右側に形成された冷蔵室１０の中には複数の冷蔵室棚１３と複数の冷蔵室受納引出し１４が上下に配置されている。
【０００９】
図２に示されたように、冷蔵庫本体１の後方の下部領域には多数の機器部品を受容する機械室３０が形成されている。
機械室３０内には、冷媒を圧縮する圧縮機３１と、圧縮機３１から供給される冷媒を凝縮する凝縮器３２と、凝縮器３２を冷却させるファン３３等の機器部品が設置されている。
ここで、圧縮機３１及び凝縮器３２は、機械室３０の両側に離隔して設置されている。
【００１０】
凝縮器３２及びファン３３は、機械室３０に設置されるプレート３４の上に設けられている。凝縮器３２は、第１及び第２凝縮部３２ａ、３２ｂを含んで、ファン３３は第１及び第２凝縮部３２ａ、３２ｂの間に介在されている。
圧縮機３１から供給される冷媒を凝縮するために、第１及び第２凝縮部３２ａ、３２ｂは互いに離隔空間をおいて一体に連結されている。
【００１１】
第１凝縮部３２ａは圧縮機３１とファン３３の間に配置されて、第２凝縮部３２ｂは、第１凝縮部３２ａとファン３３を間に置いて配置される。
ファン３３は、第１凝縮部３２ａと第２凝縮部３２ｂの間の離隔空間に配置されて、図３に示されたように、第２凝縮部３２ｂから空気を吸入して、第１凝縮部３２ａに向かって空気を送風する。
【００１２】
ファン３３による機械室３０内部の空気の流れは、図３に示されたように、空気が第２凝縮部３２ｂを経て、ファン３３に吸入されるが、ファン３３に吸入された空気は、第１凝縮部３２ａに送風されて、第１凝縮部３２ａを経た空気は、圧縮機３１に向かうようになる。
【００１３】
一方、冷蔵庫の動作が開始されて、機械室３０内に設置されている圧縮機３１等の機器部品が動作すると、機器部品の動作発熱により、機械室３０内部の空気の温度が上昇され、ファン３３の駆動により空気が循環される。
この時、本発明によると、互いに離隔して配置される第１及び第２凝縮部３２ａ、３２ｂで構成された凝縮器３２と、第１及び第２凝縮部３２ａ、３２ｂの間に介在されたファン３３により、空気が第２凝縮部３２ｂからファン３３を経て、第１凝縮部３２ａを向かって流動する。これにより本発明の冷蔵庫は、図５ａまたは図５ｂに示された従来の冷蔵庫に比べて凝縮効率が向上する。
【００１４】
このような本発明の効果は、従来の凝縮効率と本発明の凝縮効率を比較した図４のグラフを通じて、より明確に確認することができる。
図４のグラフで、棒の高さがｙ軸について高いほど放熱効率が高いことを示す。図４のように、相互に離隔して配置される第１及び第２凝縮部３２ａ、３２ｂを含む凝縮器３２と、第１及び第２凝縮部３２ａ、３２ｂの間にファン３３が介された本発明による冷蔵庫の凝縮効率が、図５ａまたは図５ｂに示された従来の冷蔵庫に比べて顕著に向上されたことが確認できる。
【００１５】
また、本発明による冷蔵庫は、凝縮器３２が相互に離隔して配置される第１及び第２凝縮部３２ａ、３２ｂを含んで、第１及び第２凝縮部３２ａ、３２ｂの間にファン３３が介在されることによって、凝縮効率が顕著に向上される。
【００１６】
前記の実施例では凝縮部が一対で設けられるが、凝縮部の数はこれに限定されず、必要により増やすことができる。前記の実施例では一対の凝縮部の間に一つのファンが介されるが、ファンの数は凝縮部の数により増やすことができる。
前記の実施例では複数の凝縮部が一体に連結されているが、複数の凝縮部を各々制作して、カプラーで連結することも可能である。
【図面の簡単な説明】
【００１７】
【図１】本発明による冷蔵庫の斜視図である。
【図２】本発明による冷蔵庫の機械室の概略図である。
【図３】機械室に設けられたファンの駆動時の空気の流れ図である。
【図４】従来の冷蔵庫と本発明による冷蔵庫の放熱効率を比較したグラフである。
【図５ａ】従来の冷蔵庫の機械室に設けられたファンの駆動時の空気の流れ図である。
【図５ｂ】従来の冷蔵庫の機械室に設けられたファンの駆動時の空気の流れ図である。
【符号の説明】
【００１８】
１        冷蔵庫本体
１０      冷蔵室
１１      冷蔵室ドア
１２      ドアガイド
１３      冷蔵室棚
１４      冷蔵室受納引出し
２０      冷凍室
２１      冷凍室ドア
２２      ドアガイド
２３      冷凍室棚
２４      冷凍室受納引出し
３０      機械室
３１      圧縮機
３２      凝縮器
３２ａ    第１凝縮部
３２ｂ    第２凝縮部
３３      ファン
３４      プレート
【図１】
2006058004.tif 000003
【図２】
2006058004.tif 000004
【図３】
2006058004.tif 000005
【図４】
2006058004.tif 000006
【図５ａ】
2006058004.tif 000007
【図５ｂ】
2006058004.tif 000008